(57)【要約】【課題】  景観、耐久性に優れ、施工が容易で工期短縮、コストダウンが可能な護岸を開発する。【解決手段】  河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、頭繋ぎ材又は腹起し材を前記Ｈ形鋼杭の頭部を連結して設け、前記ＰＣａ板の背面上部に背面方向に突出する掛止部を設け、該掛止部を前記頭繋ぎ材又は腹起し材に結合することで前記ＰＣａ板を前記Ｈ形鋼杭に支持せしめる。護岸の表面はＰＣａ板で覆われるので、景観に優れたものとなり、Ｈ形鋼杭が錆びずに耐久性も向上する。ＰＣａ板は掛止部を頭繋ぎ材又は腹起し材に結合して連設するのでＰＣａ板の取り付け施工が容易である。【選択図】      図２
2005054476.tif 000002
【特許請求の範囲】
【請求項１】
河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、頭繋ぎ材又は腹起し材を前記Ｈ形鋼杭の頭部を連結して設け、前記ＰＣａ板の背面上部に背面方向に突出する掛止部を設け、該掛止部を前記頭繋ぎ材又は腹起し材に結合することで前記ＰＣａ板を前記Ｈ形鋼杭に支持せしめたことを特徴とする護岸
【請求項２】
河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、板状の起立部を有する頭繋ぎ材を前記Ｈ形鋼杭の頭頂部を連結して設け、前記ＰＣａ板の背面上部に鈎状に突出する掛止部を設け、該掛止部を前記頭繋ぎ材に引っ掛けることで前記ＰＣａ板を前記Ｈ形鋼杭に支持せしめたことを特徴とする護岸
【請求項３】
河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、腹起し材を前記Ｈ形鋼杭の頭部側面を連結して設け、前記ＰＣａ板の背面上部に水平板状に突出する掛止部を設け、該掛止部を前記腹起し材に固定することで前記ＰＣａ板を前記Ｈ形鋼杭に支持せしめたことを特徴とする護岸
【請求項４】
請求項１〜３のいずれかの護岸において、前記ＰＣａ板の背面の両端付近に、背面方向かつ端部方向に突出する背面板を垂直方向に沿って設け、前記ＰＣａ板の継目において、隣り合うＰＣａ板の前記背面板及びＰＣａ板背面で囲繞され前記Ｈ形鋼杭の一部を含む空間に充填硬化材を充填し硬化させたことを特徴とする護岸
【請求項５】
請求項４の護岸において、前記背面板の先端部がゴム製となっていることを特徴とする護岸
【請求項６】
請求項４又は５の護岸において、前記ＰＣａ板背面から前記充填硬化材内に補強アンカーを突設したことを特徴とする護岸
【請求項７】
請求項１〜６のいずれかの護岸において、前記Ｈ形鋼杭を連結してコ字形部材を上方に開口するようにＨ形鋼杭に取り付け、前記ＰＣａ板の下端を前記コ字形部材内に収納し、任意の位置決め手段で前記ＰＣａ板の下端を位置決めしたことを特徴とする護岸
【請求項８】
請求項４〜６のいずれかの護岸において、前記空間の底部を閉塞する閉塞板を前記Ｈ形鋼杭に設けたことを特徴とする護岸
【請求項９】
請求項１〜８のいずれかの護岸において、前記Ｈ形鋼杭から背面に向かってタイロッドを設けたことを特徴とする護岸
【請求項１０】
板状本体の背面上部に鈎状又は水平板状に突出する掛止部を設け、背面の両端付近に、背面方向かつ端部方向に突出する背面板を垂直方向に沿って設けたことを特徴とする護岸用ＰＣａ板
【請求項１１】
請求項１０のＰＣａ板において、前記背面板の先端部をゴム製としたことを特徴とする護岸用ＰＣａ板
【請求項１２】
請求項１０又は１１のＰＣａ板において、前記本体の一方の側面に縦方向に凸目地を、他方の側面に該凸目地に対応する凹目地を形成したことを特徴とする護岸用ＰＣａ板
【発明の詳細な説明】
【技術分野】
【０００１】
本発明は、河岸を構成する護岸で特に景観と耐久性に優れた護岸、及びこの護岸の構築に用いる護岸用ＰＣａ板に関する。
【背景技術】
【０００２】
従来の護岸の最も一般的なものは、河岸に沿って鋼矢板を連設したものである。また、景観と耐久性を向上するため、鋼矢板の前面を現場打コンクリートで被覆したものもある。また、河岸に沿ってＨ形鋼杭を所定間隔で打ち込み、該Ｈ形鋼杭の間にコンクリート矢板を差し込んだものもある。また、特許文献１（特開２００２−１２９５３７号公報）には、河岸に沿ってコンクリート矢板を連設し、頭部を笠コンクリートで連結すると共に、対岸の笠コンクリート又はコンクリート矢板どうしを張り部材で突っ張る構成の護岸が開示されている。
【特許文献１】特開２００２−１２９５３７号公報
【発明の開示】
【発明が解決しようとする課題】
【０００３】
前記の鋼矢板を連設した護岸は、鋼矢板が前面に露出するので景観上問題があり、また、鋼矢板が錆びて耐久性にも問題があった。鋼矢板の前面を現場打コンクリートで被覆した護岸は景観、耐久性が改善されるが、型枠組み立て、コンクリート打設、コンクリート養生、型枠脱型を現場で行わなければならないので、工事が煩雑で工期が長期間となり、作業が煩雑でコストも高くなるという問題がある。特許文献１に記載されている護岸は、張り材を用いる場合は幅の狭い水路に限定して施工され、張り材を用いない場合には背面の土圧に対する耐力が小さいためにきわめて浅い水路に限定して施工されるものであり、一般の河川の護岸として用いることはできない。
【０００４】
本発明は、景観、耐久性に優れ、施工が容易で工期が短され、施工コストも低減される護岸を開発することを課題としてなされたものである。
【課題を解決するための手段】
【０００５】
本発明は、河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、頭繋ぎ材又は腹起し材を前記Ｈ形鋼杭の頭部を連結して設け、前記ＰＣａ板の背面上部に背面方向に突出する掛止部を設け、該掛止部を前記頭繋ぎ材又は腹起し材に結合することで前記ＰＣａ板を前記Ｈ形鋼杭に支持せしめたことを特徴とする護岸（請求項１）。本発明において、ＰＣａ板はプレキャストコンクリート板を意味する。本発明護岸の表面はＰＣａ板で覆われるので、景観に優れたものとなり、Ｈ形鋼杭が錆びずに耐久性も向上する。ＰＣａ板は掛止部を頭繋ぎ材又は腹起し材に結合して連設するのでＰＣａ板の取り付け施工がきわめて容易であり、工期が短くなり、施工コストも安くなる。なお、頭繋ぎ材はＨ形鋼杭の頭頂部を連結するもの、腹起し材はＨ形鋼杭頭部の側面（背面側）を連結するものである。
【０００６】
また本発明は、河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、板状の起立部を有する頭繋ぎ材を前記Ｈ形鋼杭の頭頂部を連結して設け、前記ＰＣａ板の背面上部に鈎状に突出する掛止部を設け、該掛止部を前記頭繋ぎ材に引っ掛けることで前記ＰＣａ板を前記Ｈ形鋼杭に支持せしめたことを特徴とする護岸である（請求項２）。ＰＣａ板は掛止部を頭繋ぎ材に引っ掛けて連設するのでＰＣａ板の取り付け施工がきわめて容易である。
【０００７】
また本発明は、河岸に沿って所定間隔で打ち込んだ複数のＨ形鋼杭と、該Ｈ形鋼杭の前面に沿って継目がＨ形鋼杭のほぼ中心となるように連設したＰＣａ板とを有し、腹起し材を前記Ｈ形鋼杭の頭部側面を連結して設け、前記ＰＣａ板の背面上部に水平板状に突出する掛止部を設け、該掛止部を前記腹起し材に固定することで前記ＰＣａ板を前記Ｈ形鋼杭に支持せしめたことを特徴とする護岸である（請求項３）。掛止部を腹起こし材に結合するのは、ボルトナット、溶接など任意の手段を用いることができる。掛止部は水平板状なので、結合手段であるボルトナットを調整したり、掛止部と腹起こし材の間に任意のスペーサを挟み込むなどして、容易にＰＣａ板の高さ調整を行うことができる。
【０００８】
本発明において、前記ＰＣａ板の背面の両端付近に、背面方向かつ端部方向に突出する背面板を垂直方向に沿って設け、前記ＰＣａ板の継目において、隣り合うＰＣａ板の前記背面板及びＰＣａ板背面で囲繞され前記Ｈ形鋼杭の一部を含む空間に充填硬化材を充填し硬化させることができる（請求項４）。このようにすると、Ｈ形鋼杭とＰＣａ板とが充填硬化材で一体化されるので、Ｈ形鋼杭とＰＣａ板とが一体化され、ＰＣａ板背面に作用する土圧が確実にＨ形鋼杭に伝達され、護岸背面の土圧に対する抵抗力が強化される。また、Ｈ形鋼杭の一部が充填硬化材で被覆されるので、Ｈ形鋼杭がさらに錆びにくくなる。充填硬化材としては、コンクリート、モルタルなど任意の硬化材料を選択できる。
【０００９】
本発明において、前記背面板の先端部をゴム製とすることができる（請求項５）。背面板は強度に優れた金属製（鉄板など）とすることが望ましい。その先端にゴム板を取り付けることで先端をゴム製とすることができる。このようにすると、背面板の先端がゴムの弾性によりＨ形鋼杭に密着し、隙間が無くなるので、充填硬化材の漏れを防ぐことができる。
【００１０】
本発明において、前記ＰＣａ板背面から前記充填硬化材内に補強アンカーを突設することができる（請求項６）。補強アンカーは鉄筋や任意の鋼材をＰＣａ板背面に打ち込んだり、ＰＣａ板背面に埋め込んだインサートにアンカーボルトを螺着するなどして設けることができる。このようにすると、ＰＣａ板と充填硬化材ひいてはＨ形鋼杭とがさらに強固に一体化され、ＰＣａ板の背面に作用する土圧に対する抵抗力がさらに強くなる。
【００１１】
本発明において、前記Ｈ形鋼杭を連結してコ字形部材を上方に開口するようにＨ形鋼杭に取り付け、前記ＰＣａ板の下端を前記コ字形部材内に収納し、任意の位置決め手段で前記ＰＣａ板の下端を位置決めすることができる（請求項７）。コ字形部材としてはコ字形鋼、Ｈ形鋼、Ｉ形鋼、鉄板を折り曲げたものなどを使用できる。ＰＣａ板下面はコ字形部材のウエブ上に当接する必要はないが、当接させることでＰＣａ板の取り付け高さ（上下方向）の位置決めを兼ねることができる。位置決め手段（表裏方向）としては、コ字形部材に螺合したボルト、ＰＣａ板とコ字形部材の間に挟み込んだスペーサやクサビなど、任意のものを用いることができる。このようにすると、ＰＣａ板の下部が表裏方向に位置決めされ、ＰＣａ板が垂直に取り付けられると共に、隣り合うＰＣａ板どうしの継目の段差がなくなり、見栄えが良くなる。なお、ＰＣａ板の上部は前記掛止部と頭繋ぎ材によっても位置決めされる。
【００１２】
本発明において、前記空間の底部を閉塞する閉塞板を前記Ｈ形鋼杭に設けることができる（請求項８）。閉塞板は鉄板とすることが好ましく、溶接などの任意の手段でＨ形鋼杭に取り付けることができる。閉塞板を設けることで、前記空間に充填硬化材を充填する場合、充填硬化材の漏れを防ぐことができる。また、閉塞板にＰＣａ板を載置することで、ＰＣａ板の上下方向の取付位置を位置決めできる。
【００１３】
本発明において、前記Ｈ形鋼杭から背面に向かってタイロッドを設けることができる（請求項９）。地盤が軟弱な場合、Ｈ形鋼杭の間隔が広い場合、Ｈ形鋼杭の根入れ深さが短い場合などにおいて、土圧に対する耐力不足がタイロッドを設けることで補強、解消される。
【００１４】
また本発明は、板状本体の背面上部に鈎状又は水平板状に突出する掛止部を設け、背面の両端付近に、背面方向かつ端部方向に突出する背面板を垂直方向に沿って設けたことを特徴とする護岸用ＰＣａ板である（請求項１０）。背面板の先端部はゴム製とすることができる（請求項１１）。本体の一方の側面に縦方向に凸目地を、他方の側面に該凸目地に対応する凹目地を形成することができる（請求項１２）。本発明のＰＣａ板を用いて、前記の本発明護岸を容易に構築することができる。
【発明の効果】
【００１５】
本発明の護岸は、河岸に沿って所定間隔で打ち込んだ複数のＨ形鋼杭で背面の土圧を支える構造であるので、張り材を必要とせず、Ｈ形鋼杭の大きさや間隔を調整することで大きな河川の大型の護岸（高さの高い護岸）を構築することができる。また、地盤が極端に悪いといった悪条件でも、タイロッドを設けることで張り材なしに土圧を支えることが可能である。護岸の表面はＨ形鋼杭の前面に連設したＰＣａ板の表面となるので、景観に優れたものとなり、Ｈ形鋼杭も錆びにくくなり耐久性も向上する。ＰＣａ板は掛止部を頭繋ぎ材又は腹起し材に結合して連設するのでＰＣａ板の取り付け施工がきわめて容易であり、工期が短くなり、施工コストも安くなる。
【００１６】
背面板及びＰＣａ板背面で囲繞されＨ形鋼杭の一部を含む空間に充填硬化材を充填し硬化させることで、Ｈ形鋼杭とＰＣａ板とが一体化され、ＰＣａ板背面に作用する土圧が確実にＨ形鋼杭に伝達され、護岸背面の土圧に対する抵抗力が強化される。また、Ｈ形鋼杭の一部が充填硬化材で被覆されるので、Ｈ形鋼杭がさらに錆びにくくなる。
【００１７】
背面板の先端部をゴム製とすることで、背面板の先端がゴムの弾性によりＨ形鋼杭に密着し、隙間が無くなるので、充填硬化材の漏れを防ぐことができる。
【００１８】
ＰＣａ板背面から前記充填硬化材内に補強アンカーを突設することで、ＰＣａ板と充填硬化材ひいてはＨ形鋼杭とがさらに強固に一体化され、ＰＣａ板の背面に作用する土圧に対する抵抗力がさらに強くなる。
【００１９】
Ｈ形鋼杭を連結してコ字形部材を上方に開口するようにＨ形鋼杭に取り付け、前記ＰＣａ板の下端を前記コ字形部材内に収納し、任意の位置決め手段で前記ＰＣａ板の下端を位置決めすることで、ＰＣａ板の下部が位置決めされ、ＰＣａ板が垂直に取り付けられると共に、隣り合うＰＣａ板どうしの段差がなくなり、見栄えが良くなる。
【００２０】
本発明の護岸用ＰＣａ板を用いることで、上記の本発明護岸を容易に構築することができる。
【実施例】
【００２１】
図面に基づいて本願発明の実施例を説明する。図１はＰＣａ板１の正面、平面及び左側面を示す説明図、図２はＨ形鋼杭にＰＣａ板１を取り付けた状態を示す説明図、図３はＰＣａ板の継目部分の説明図、図４は本発明の護岸の施工例の平面説明図、図５は本発明の護岸の施工例の断面説明図、図６はＨ形鋼杭にＰＣａ板３０を取り付けた状態を示す説明図、図７は閉塞板１９の説明図である。
【００２２】
図１に示すように、ＰＣａ板１はプレキャストコンクリート製の縦長の板で、上部が波返し１ａによって肉厚に、下部がテーパ部１ｂによって肉薄に形成されている。波返し１ａ、テーパ部１ｂは必ずしも必要なものではなく、全体を同じ厚さの平板としても良い。また、表面に凹凸模様などのデザインを設けても良い。背面上部には掛止部６が鈎状に突出形成されている。図２に示すように、掛止部６はコ字状形鋼を下向きにして、一方のフランジをボルト１４をＰＣａ板背面に埋設したインサートアンカー７に螺着することで取り付けている。掛止部の構成はこれに限るものではない。ＰＣａ板１の背面の両端付近には、背面方向かつ端部方向に突出する背面板２が垂直方向に沿ってＰＣａ板の全長に亘って設けられている。図３に示すように、背面板２は乙の字を左右に引き延ばしたような断面形状となるように鉄板を曲げ加工したもので、アンカー鉄筋５を溶接した一辺がＰＣａ板のコンクリートに埋め込まれている。背面板２にはゴム板３が多数のボルト４とナットで取り付けられている結果、先端が全長に亘ってゴム製となっている。ＰＣａ板の一方の側面には縦方向に凸目地９が、他方の側面にはこれに対応して凹目地１０が形成されている。ＰＣａ板１を連設した場合、隣り合うＰＣａ板の凸目地９と凹目地１０とが凹凸嵌合し、目地部分が位置決めされて隣り合うＰＣａ板どうしに段差が生じない。
【００２３】
図２〜５に示すように、河岸に沿って所定間隔で打ち込んだ複数のＨ形鋼杭１１の前面に沿って、継目がＨ形鋼杭のほぼ中心となるようにＰＣａ板１を連設する。Ｈ形鋼杭は通常４００Ｈ程度のものを用い、間隔は通常２ｍ程度である。Ｈ形鋼杭は一方のフランジ面が河の方向を向くように打設される。図２などに示すように、Ｈ形鋼杭１１の頭部には、各Ｈ形鋼杭を連結してＬ形鋼の頭繋ぎ材１３を溶接により取り付けている。頭繋ぎ材１２は板状の起立部１３を有する。頭繋ぎ材としてはコ字形鋼、Ｉ形鋼、Ｈ形鋼など、他の断面形状を有する鋼材を用いることもできる。また、Ｈ形鋼杭１１の前面側には、各Ｈ形鋼杭を連結してコ字形鋼１５を、その開口が上を向くように、ボルト１６及びナットで取り付けている。
【００２４】
図２に示すように、ＰＣａ板１は、その鈎状の掛止部６を頭繋ぎ材１２の起立部１３に引っ掛けてＨ形鋼杭１１に取り付ける。このとき、ＰＣａ板の下端部はコ字形部材１５内に収納され、コ字形部材１５の外側のフランジに螺着した固定ボルト１７を締め付け、取付ボルト１６及び固定ボルト１７によって位置決め、固定される。同様にして、図４に示すように、複数のＰＣａ板１を連設する。
【００２５】
図３に示すように、ＰＣａ板１の継目はＨ形鋼杭１１のほぼ中心に位置する。背面板２に取り付けられたゴム板３の先端部分はＨ形鋼杭１１のウエブに密着する。隣り合うＰＣａ板１の背面板２及びＰＣａ板１の背面で囲繞された空間はＨ形鋼杭１１の一部（ウエブの一部と表側のフランジ）を含む。この空間に充填硬化材１８を充填し硬化させる。この空間の最下部は、必要があれば鉄板やベニヤ板などで塞ぎ、充填硬化材が底から漏れないようにすることが望ましい。ＰＣａ板１の背面から充填硬化材内に補強アンカー８が突設されている。補強アンカーは鉄筋などの適宜の金属材料が望ましい。この場合、補強アンカーの根元部分はＰＣａ板のコンクリートに埋め込まれている。
【００２６】
図４、５は本発明の護岸にタイロッド２０を設けた例を示している。タイロッド２０の先端は溶接、ナット締めその他の手段でＨ形鋼杭１１に接続し、末端は、この場合鋼矢板２１に任意の手段で接続する。タイロッドをＨ形鋼杭や鋼矢板に接続する手段は周知であるので、ここでは説明を省略する。この場合、反力部材は鋼矢板であるが、その他コンクリート壁、コンクリート塊など、任意の反力部材を選択できる。
【００２７】
ＰＣａ板１の背面側は、中詰固化土などの任意の埋め戻し材を埋め戻す。Ｈ形鋼杭の上部にはコンクリートで笠木２２を設けることが望ましい。また、河川側は玉砂利などの任意の材料で河床を形成する。
【００２８】
図６に示すＰＣａ板３０は、前記のＰＣａ板１と掛止部の形状のみが異なり、その他は同一の構成である。ＰＣａ板の掛止部３１はＰＣａ板３０の背面上部に水平板状に突出して設けられている。具体的には、ＰＣａ板３０に埋設したインサートアンカー７にボルト３２を螺合することで取り付けたＬ形鋼である。掛止部としてはＬ形鋼に限らず鉄板を折り曲げたものなど、種々の材料を使用できる。Ｈ形鋼杭１１の上部の背面側の側面には腹起し材（コ字形鋼）３３がボルト３４とナットにより、各Ｈ形鋼杭鋼を連結して護岸の長さ方向に沿って取り付けられている。腹起し材３３の水平部３３ａには掛止部３１がボルト３５とナットにより高さ調整されて取り付けられている。腹起し材はコ字形鋼に限るものではないが、水平部を有する部材が好ましい。
【００２９】
図７は閉塞板１９の説明図で、左側が平面図、右側が側面図である。閉塞板１９は図３の充填硬化材１８を充填する空間の底部を閉塞する形状であればよい。この場合は鉄板をＨ形鋼杭１１の所定の高さに溶接固定して設けており、ＰＣａ板３０（又はＰＣａ板１）の下端を載置させることで高さ方向の位置決め機能も兼ねている。
【図面の簡単な説明】
【００３０】
【図１】護岸用ＰＣａ板１の正面、平面及び左側面を示す説明図である。
【図２】Ｈ形鋼杭にＰＣａ板１を取り付けた状態を示す説明図である。
【図３】ＰＣａ板の継目部分の説明図である。
【図４】本発明の護岸の施工例の平面説明図である。
【図５】本発明の護岸の施工例の断面説明図である。
【図６】Ｈ形鋼杭にＰＣａ板３０を取り付けた状態を示す説明図である。
【図７】閉塞板１９の説明図である。
【符号の説明】
【００３１】
１  ＰＣａ板
２  背面板
３  ゴム板
４  ボルト
５  アンカー鉄筋
６  掛止部
７  インサートアンカー
８  補強アンカー
９  凸目地
１０  凹目地
１１  Ｈ形鋼杭
１２  頭繋ぎ材
１３  起立部
１４  ボルト
１５  コ字形部材
１６  取付ボルト
１７  固定ボルト
１８  充填硬化材
１９  閉塞板
２０  タイロッド
２１  鋼矢板
２２  笠木
３０  ＰＣａ板
３１  掛止部
３２  ボルト
３３  腹起し材
３４  ボルト
３５  ボルト
【図１】
2005054476.tif 000003
【図２】
2005054476.tif 000004
【図３】
2005054476.tif 000005
【図４】
2005054476.tif 000006
【図５】
2005054476.tif 000007
【図６】
2005054476.tif 000008
【図７】
2005054476.tif 000009